(57)【要約】【課題】ユーザがスコアで切断したキャップのスコア切断部に直接触れないようにする簡易開封キャップを提供すること。【解決手段】キャップ１は、天面壁５と、該天面壁５の周囲から実質的に垂下されているスカート壁６と、スカート壁６の下端から突出する舌片８が形成され、舌片８に続くプルリング３とを備えている。キャップ１には、スカート壁６を上方に延び、更に天面壁５の周縁をプルリング３の反対方向へ延びる一対のスコア９が形成されている。キャップ１には、スコア９が最初に切断される引き裂き開始部のスコア９部分を跨ぐようにしてスカート壁を被覆するカバー１４を配設している。カバー１４は、スコア９の外側領域でキャップ本体２に接着している。【選択図】図７
2008280065.tif 000002
【特許請求の範囲】
【請求項１】
天面壁と、該天面壁の周囲から実質的に垂下されているスカート壁と、該スカート壁の下端から突出する基端部が形成され、該基端部に続く把持部とを備え、
該基端部両端からスカート壁を上方に延び、更に天面壁の周縁を把持部の反対方向へ延びる一対のスコアが形成された金属製のキャップ本体を有する簡易開栓キャップにおいて、
少なくとも前記スコアが最初に切断される引き裂き開始部のスコア部分を跨ぐようにしてスカート壁を被覆する被覆部材を形成し、
前記被覆部材は、前記スコアの外側のスコア外側部領域でキャップ本体に接着し、前記スコアで挟まれた引き裂き領域ではキャップ本体に対して非接着乃至弱接着に形成されたことを特徴とする簡易開栓キャップ。
【請求項２】
前記スカート壁側のスコア全体及び前記天面壁に形成されている天面壁側のスコアにわたって、これらのスコアを跨ぐようにして前記被覆部材が形成され、前記スコア外側部領域に位置する被覆部材の部分を前記スカート壁及び前記天面壁に接着するようにしたことを特徴とする請求項１に記載の簡易開栓キャップ。
【請求項３】
前記スコアの引き裂き開始位置の前記スコア外側部領域側に位置する部分に該スコア外側部領域の一部を切り欠いた切り欠き部を形成し、前記被覆部材を該切り欠き部の切り欠いた部分まで延ばすようにしたことを特徴とする請求項１又は２に記載の簡易開栓キャップ。
【請求項４】
前記スコアの切り裂き開始位置から前記天面壁にわたって被覆した前記被覆部材を、前記スカート壁の下縁部を越えて延ばすようにしたことを特徴とする請求項２又は３に記載の簡易開栓キャップ。
【請求項５】
前記キャップ本体の内面にはシール部材が形成され、該シール部材は前記スコアで挟まれた引き裂き領域でキャップ本体に接着し、前記スコアの外側領域ではキャップ本体に対して非接着乃至弱接着に貼り付けされたことを特徴とする請求項１〜４のいずれか１項に記載の簡易開栓キャップ。
【発明の詳細な説明】
【技術分野】
【０００１】
本発明は、キャップ本体のスカート壁の下端部に把持部が形成され、天面壁の周縁を把持部の反対方向へ延びる一対のスコアが形成された簡易開栓キャップに関する。
【背景技術】
【０００２】
従来、容器等に対して栓抜きなどの開封器具を用いることなくキャップを開封できる手段として、開封可能な天面壁とこれに連なるスカート壁の一部に端縁から突出するようなプルリングなどの把持部が設けられ、該把持部の付け根からスカート壁、さらには天面壁に延びている弱化線であるスコアを形成した簡易開栓キャップが知られている。
図９〜図１１は、そのようなスコアを形成したキャップ５１を示し、キャップ５１は、キャップ本体５２とプルリング５３とを備えている。キャップ本体５２の内面側には樹脂製のライナー５４が設けられている。
【０００３】
キャップ本体５２は、天面壁５５と、この天面壁５５の周縁部から下方に延びるスカート壁５６を設け、該スカート壁５６の下端には、その端縁より下側へ突出するように舌片５８が一体的に連結されている。この舌片５８の左右両端部に形成された付根には、一対のスコア５９が形成されている。また、舌片５８の付根には、比較的小さな切り欠き部６１が形成されており、スコア５９は切り欠き部６１の最深部からスカート壁５６の下方から上方へ向けて天面壁５５に延び、さらに天面壁５５ではプルリング５３の位置と反対側へ延びるように形成されている。
【０００４】
このような、キャップ５１の開封方法は、人様々であり通常は、容器６２等を片手で握り、容器６１を持たない方の手の指をプルリング５３の孔６０に差し込んで、プルリング５３を引っ張りながらスコア５９に沿って切断し、閉塞力のなくなったキャップ５１が開栓できるようになっている。
なお、金属製キャップとしては、プルリングへの指の挿入が容易で、スコアの切断による開封操作が円滑になるとした技術が、下記の特許文献１に開示されている。
【特許文献１】特公平７−２３１６８号公報
【発明の開示】
【発明が解決しようとする課題】
【０００５】
キャップ５１は、スコア５９が切断されることによって開栓ができ、スコア５９のラインが分離された切断面が外側に露出する。開封後のキャップ５１を廃棄するときには、ユーザはプルリング５３の孔６０に人差し指、中指などの指を差し込んでいる。ユーザはそのままプルリング５３を指に差し込んだままゴミ箱などに、キャップ５１を廃棄することは不可能でないが、通常は、プルリング５３の孔６０から指を抜き取り、プルリング５３を持たない方の手で、キャップ５１の天面壁５５やスカート壁５６のいずれか一方、若しくは両者を掴んで、プルリング５３を指から外す。
【０００６】
あるいは、キャップ５１を外した後に、一旦、キャップ５１をテーブルなどにおいて、飲料を飲み干した後に、容器６２とともにキャップ５１を廃棄することがある。そのようなときには、ユーザはキャップ５１のいずれかの部分を持って、キャップ５１を廃棄する。したがって、ユーザはキャップ５１を、１度のみならず、数回掴む機会がある。キャップ５１を掴む際には、ユーザがキャップ５１のスコア５９の部分で形成されたスコア切断部に触れることがある。このようにユーザがキャップ５１を把持したときに、ユーザがスコア切断部に触れたときには、不快感や違和感などを受けることも予想される。
【０００７】
本発明は、このような事情に鑑みてなされたものであって、ユーザがスコアに沿って切断したキャップのスコア切断部に直接、触れないようにする簡易開封キャップを提供することを目的とする。
【課題を解決するための手段】
【０００８】
本発明の簡易開栓キャップは、天面壁と、該天面壁の周囲から実質的に垂下されているスカート壁と、該スカート壁の下端から突出する基端部が形成され、該基端部に続く把持部とを備え、該基端部両端からスカート壁を上方に延び、更に天面壁の周縁を把持部の反対方向へ延びる一対のスコアが形成された金属製のキャップ本体を有する簡易開栓キャップにおいて、少なくとも前記スコアが最初に切断される引き裂き開始部のスコア部分を跨ぐようにしてスカート壁を被覆する被覆部材を形成し、前記被覆部材は、前記スコアの外側のスコア外側部領域領域でキャップ本体に接着し、前記スコアで挟まれた引き裂き領域ではキャップ本体に対して非接着乃至弱接着に形成するようにした。
上記簡易開栓キャップは、前記スカート壁側のスコア全体及び前記天面壁に形成されている天面壁側のスコアにわたって、これらのスコアを跨ぐようにして前記被覆部材が形成され、前記スコア外側部領域に位置する被覆部材の部分を前記スカート壁及び前記天面壁に接着することができる。
上記簡易開栓キャップは、前記スコアの引き裂き開始位置の前記スコア外側部領域側に位置する部分に該スコア外側部領域の一部を切り欠いた切り欠き部を形成し、前記被覆部材を該切り欠き部の切り欠いた部分まで延ばすことができる。
上記簡易開栓キャップは、前記スコアの切り裂き開始位置から前記天面壁にわたって被覆した前記被覆部材を、前記スカート壁の下縁部を越えて延ばすことができる。
上記簡易開栓キャップは、前記キャップ本体の内面にはシール部材が形成され、該シール部材は前記スコアで挟まれた引き裂き領域でキャップ本体に接着し、前記スコアの外側領域ではキャップ本体に対して非接着乃至弱接着に貼り付けることができる。
【発明の効果】
【０００９】
本発明の簡易開栓キャップは、少なくともスコアが最初に切断される引き裂き開始部のスコア部分を跨ぐようにしてスカート壁を被覆する被覆部材を形成し、被覆部材は、前記スコアの外側領域でキャップ本体に接着し、前記スコアで挟まれた引き裂き領域ではキャップ本体に対して非接着乃至弱接着に形成するようにしたので、ユーザが引き裂き領域が引き裂かれた後のキャップを掴むときに、スコアの引き裂き開始部の外側領域におけるスコア切断部、すなわち、ユーザが触れると一番不快感及び違和感をうける場所に触れても、その部分をカバーで覆っているので、不快感、違和感を防止することができる。
上記簡易開栓キャップは、前記スカート壁側のスコア全体及び前記天面壁に形成されている天面壁側のスコアにわたって、これらのスコアを跨ぐようにして前記被覆部材が形成され、これらのスコアによって引き裂かれる領域の外側領域に位置する被覆部材の部分を前記スカート壁及び前記天面壁に接着するようにしたので、スコア切断部の全体をカバーで覆うようにすることができ、さらなるユーザの不快感、違和感を抑制することができる。さらに、スコアの引き裂き開始部からスコアの終点位置、切欠き部、スカート壁の下側へ延長することによって、さらなる不快感、違和感をより広い範囲で抑制することができる。
上記簡易開栓キャップは、前記キャップ本体の内面にはシール部材が形成され、該シール部材は前記スコアで挟まれた引き裂き領域でキャップ本体に接着し、前記スコアの外側領域ではキャップ本体に対して非接着乃至弱接着に貼り付けたので、引き裂き領域を引き裂くときに、シール部材とスコアの外側領域との接着が非接着乃至弱接着なので、引き裂き領域側にシール部材が付着してキャップ本体のスコアの外側領域と容器口頸部とで挟まれたシール部材が引き裂き領域側と共にスコア外側領域側から抜け出し、キャップを容器口頸部から容易に取り除くことができる。
【発明を実施するための最良の形態】
【００１０】
以下、本発明の第１の実施形態の簡易開栓キャップについて、図面を参照しながら説明する。
図１は、本発明による簡易開栓キャップの一例を示す平面図、図２はその正面図、図３はプルリングがある部分の断面図、図４は簡易開栓キャップを容器に装着した状態の正面図、図５は図４の簡易開栓キャップのプルリングがある部位の断面図、図６はその簡易開栓キャップのプルリングがない部分の断面図である。
本発明に係る簡易開栓キャップ（以下、単にキャップとする）１は、金属製のキャップ本体２と把持部であるプルリング３とを備えている。
キャップ本体２は、アルミニウム基合金薄板、クロム酸処理鋼薄板、ブリキ薄板等の適宜金属薄板をプレス等により絞り成形することにより形成されている。このキャップ本体２は、円板形状の天面壁５とこの天面壁５の周縁部から実質的に垂下する円筒状のスカート壁６とを備えている。
【００１１】
スカート壁６の下端には、該スカート壁６の下縁部の一部に連結し、その端縁よりさらに下側へ突出するように舌片８が形成され、舌片８には舌片８の下端縁から折り曲げ部１３を経て、外側斜め下方に突出する取付突部１０（図３参照）を一体に形成している。なお、舌片８及びこの取付突部１０は、キャップ本体２と一体成形により形成される。取付突部１０には、把持部である上述したプルリング３が連結されている。
図５に示すように、プルリング３は、取付突部１０から下方に、容器１７の側面にほぼ沿うようにして延在させている。このプルリング３は、プラスチック製の樹脂で形成され、取付突部１０に連結されたリング連結部１２と、リング２２とから成っている。プルリング３は、高密度ポリエチレン又はアイソタクティックポリプロピレンで一体に成形されており、例えば、下型内にキャップ本体２の取付突部を挿入し、その上に溶融樹脂のペレットを供給後、上型を押圧し、冷却固化してプルリング３を取付突部１０に一体成形することができる。
【００１２】
舌片８のスカート壁６への付根には、比較的小さな切り欠き部１１が形成されている。切り欠き部１１は、舌片８の延長部で最深部１５が形成され、この切り欠き部１１の最深部１５には、この最深部１５からスカート壁６を高さ方向に横切り、天面壁５まで延びる一対のスコア９が形成されている。このスコア９は一般に弱化部から成り、スカート壁６では下から上へ向けて中間位置で細くなるようにウエスト形状に湾曲するように形成されている。そして、スコア９は、図１に示すように、天面壁５では、プルリング３の位置とは反対側へ延び、天面壁５の周縁部に沿うように形成されている。
【００１３】
引き続き図１を参照にして、スコア９の終端１６は、天面壁５のプルリング３の反対側で天面壁５の周縁部、又は該周縁部を若干越えたところまで形成されている。このスコア９が形成されている部分は、薄肉に形成するなどして、他の部分よりも弱化させて、プルリング３を引っ張ることにより、引き裂きが可能に形成されている。
なお、説明の便宜上、一対のスコア９間に位置する部分を引き裂き領域Ａとし、この引き裂き領域Ａの外側、すなわちスコア９の外側をスコア外側部領域Ｂと呼ぶ。また、本実施形態では、一対のスコア９を天面壁５では、周縁部に沿って湾曲するように形成して、キャップ１の容器口頸部からの取り除きを容易にしている。
【００１４】
本実施形態では、天面壁５及びスカート壁６側の引き裂き領域Ａの周縁からスコア９を跨いで、外側部領域Ｂへ延びるカバー１４を配設している。そして、カバー１４は、天面壁５の周縁部からスカート壁６まで延び、さらにはスカート壁６の裾を越える位置まで配設されている。言い換えれば、カバー１４が配設されている部分は、外側部領域Ｂから引き裂き領域Ａに僅かにはみ出した部分に配設されている。したがって、切り欠き部１１が形成されている部分については、少なくとも切り欠き部１１の最深部１５がカバー１４によって覆い隠されていることが好ましく、図１〜図６では切り欠き部１１の全体がカバー１４によって覆い隠されている。
キャップ本体２とカバー１４との接着は、接着塗料で行われ、接着塗料はスコア外側部領域Ｂに塗布され、引き裂き領域Ａではカバー１４と接着をしてない。ただし、カバー１４が僅かな剥離力で剥がれるように弱接着でカバー１４を接着することについては差し支えがない。また、カバー１４と外側部領域Ｂとの接着範囲は、これらの当接する部分全体を接着してもよいが、スコア９に沿った部分だけ接着するようにしてもよい。
【００１５】
図５及び図６に示すように、キャップ本体２の天面壁５の内面側には有機高分子からなる薄板円形状のライナー４が設けられている。一方、容器１７の上部には、容器１７の上端部を上方外側に丸くなるように折り曲げて開口部よりも外側へ突出する口頸部１８を形成している。ライナー４と天面壁５との接着は、天面壁５における引き裂き領域Ａ側に接着し、外側部領域Ｂ側の天面壁５に接着しないようにする。ただし、外側部領域Ｂについて、簡単に剥離できる程度の弱接着であれば、接着してもよい。
なお、キャップ本体２のスカート壁６の下部は、当初天面壁５から直線状に下方に垂下された形状に形成されているが、閉栓時に絞り部２０が絞り加工がされることによって、口頸部１８の外径よりも下端側は小径に絞り加工されて、容器１７が閉栓される。この状態で、ライナー４の周縁シール部１９が容器の口頸部１８の頂面から外面にかけて密着し、密封状態が確保される。したがって、キャップ１を開栓するには、絞り部２０の口頸部１８との係合状態を解除することによって開栓される。
【００１６】
このような構成により、ユーザが容器１７を開栓するときは、プルリング３を指に差し込んで、プルリング３をスカート壁６の上方側へ引っ張って切断する。この際、まず、プルリング３をキャップの径方向外方に引っ張り、スカート壁６のスコア９を引き裂いた後、プルリング３を上方に引き上げて、天面壁５側のスコア９を引き裂き、更に上方に引き上げるとキャップ１は容器口頸部から取り除かれることになる。
【００１７】
スコア９の部分を覆うカバーは、引き裂き領域Ａでない部分であるスコア外側部領域Ｂを接着剤で接着、引き裂き領域Ａの引き裂き時に、接着剤がユーザに余計な負担をかけることなく、引き裂くことが可能である。同様に、ライナー４についても、ライナー４が外側部領域Ｂに接着されていないので、引き裂き領域Ａの引き裂き時に余計な負担がかかることがない。また、引き裂き領域Ａの縁部がカバー１４に接触してカバー１４を乗り越える際にも、カバー１４がフィルム等の弾性部材であるので、容易に引き裂き領域Ａは、カバー１４を乗り越えることができる。
そして、キャップ１は、引き裂き領域Ａを引き裂いた後は、スカート壁６が引き裂き領域Ａで分断されていることに加えて、更に、引き裂き領域Ａ側に接着されたライナー４の周縁部により、スコア外側部領域Ｂを外側に押し広げることができ、絞り部２０の保持力が軽減されることとなり、絞り部２０と口頸部１８との係合を容易に解除することができる。
【００１８】
ユーザがキャップ１を外した状態では、カバー１４はスコア９により形成された外側部領域Ｂ側の切断部（以後スコア切断部９とする）からはみ出すようにして、スコア切断部９を覆っている。したがって、ユーザはキャップ１を把持するときに、スコア切断部９に相当する部分を指先で触れても、直接カバー１４の表面に触れることになる。同様に、ユーザが切り欠き部１１の縁部に相当する部分を指先で触れても、直接カバー１４に触れることになって、ユーザはスコア切断部９や切り欠き部１１の縁部に触れる不快感や違和感を防止することができる。
【００１９】
次に、本発明の第２の実施形態について説明する。
なお、キャップ１のキャップ本体２、プルリング３、ライナー４及び容器１７の形状は上記第１の実施形態と同じ構造であるので、同一の符合を付して、その詳細な説明は省略する。
図７に示すように、スコア９が切り欠き部１１の最深部１５からスカート壁６及び天面壁５にかけて上記第１の実施形態と同様に形成されている。本実施形態では、カバー２５は、スカート壁６の下端から突出する舌片８の縁部から切り欠き部１１の最深部１５、さらにスカート壁６に形成したスコア９の該スカート壁６のほぼ中間位置に配設されている。カバー２５は、スコア外側部領域Ｂのみを接着剤で接着している。ただし、スコア外側部領域Ｂに強接着し、引き裂き領域Ａを弱接着してもよい。
【００２０】
このような構成により、ユーザは上記第１の実施形態と同様に、プルリング３を掴んでキャップ１のスコア４を引き裂いて、キャップ１を容器１７から外すことができる。スコア９の部分を覆うカバーは、引き裂き領域Ａでない部分であるスコア外側部領域Ｂに接着剤で接着しているので、カバー２５は、スコア外側部領域Ｂ側に付着してスコア外側部領域Ｂ側に残される。スコア４の引き裂き時には、接着剤がユーザに余計な負担をかけることなく、引き裂くことが可能である。
また、引き裂き領域Ａが引き裂かれた後のキャップ１をユーザが掴むときに、特に不快感や違和感を有する場所は、切り欠き部１１があるスコア９の引き裂き開始点である。したがって、この構成により、ユーザがその切り欠き部１１とスコア９の引き裂き開始点周辺に触れても、不快感や違和感を防止、軽減できる。本実施形態では、その部分のみをカバー２５で覆っているので、カバー２５のキャップ本体２への接着作業の負担が軽減され、カバー２５や接着剤の材料費も軽減される効果がある。
【００２１】
次に、本発明の第３の実施形態について説明する。
なお、キャップ１のキャップ本体２、プルリング３及び容器１７の形状は上記第１の実施形態と同じ構造であるので、同一の符合を付して、その詳細な説明は省略する。
図８のＡに示すように、本実施形態では、スコア９が切り欠き部１１の最深部１５からスカート壁６及び天面壁５にかけて上記第１の実施形態と同様に形成されている。本実施形態では、カバー２６をほぼ帯状に形成し、カバー２６をスコア９の全領域に沿って、或いは大部分において配設している。すなわちスカート壁６の下端から突出する舌片８の縁部から切り欠き部１１の最深部１５、さらにスカート壁６を越えて、図８のＢに示すように、天面壁５に形成されたスコア９の終点位置にわたって配設されている。カバー２６は、スコア外側部領域Ｂのみを接着剤で接着している。ただし、スコア外側部領域Ｂを強接着し引き裂き領域Ａを容易に剥離可能に弱接着してもよい。
【００２２】
このような構成により、ユーザは上記実施形態と同様に、プルリング３を掴んでキャップ１のスコア４を引き裂いて、キャップ１を容器１７から外すことができる。スコア９の部分を覆うカバー２６は、引き裂き領域Ａでない部分であるスコア外側部領域Ｂに接着剤で接着しているので、カバー２６は、スコア外側部領域Ｂ側に付着してスコア外側部領域Ｂ側に残される。引き裂き領域Ａの引き裂き時には、接着剤が引き裂き領域Ａに接着されていないので、ユーザに余計な負担をかけることなく、引き裂くことが可能である。
本実施形態では、スコア９の切断部の全体をカバー２６が覆っているので、ユーザがスコア９の切断部に相当する部分に触れても、カバー２６に触れることとなり、不快感や違和感を防止、軽減できる。また、カバー２６の材料費も軽減される効果がある。
【００２３】
以上、本発明の実施の形態について説明したが、本発明の技術的思想に基づいて、勿論、本発明は種々の変形又は変更が可能である。
【図面の簡単な説明】
【００２４】
【図１】本発明の第１の実施形態による簡易開栓キャップの容器に装着する前の平面図である。
【図２】図１の簡易開栓キャップの正面図である。
【図３】図１におけるＸ−Ｘ線方向の断面図である。
【図４】図１の簡易開栓キャップを容器に装着した状態の正面図である。
【図５】図１の簡易開栓キャップを容器に取付けた状態の図１におけるＸ−Ｘ線方向の断面図である。
【図６】図１の簡易開栓キャップを容器に取付けた状態の図１におけるＹ−Ｙ線方向の断面図である。
【図７】本発明の第２の実施形態による簡易開栓キャップを容器に取付けた状態の正面図である。
【図８】本発明の第３の実施形態による簡易開栓キャップを容器に取付けた状態の正面図（Ａ）及び平面図（Ｂ）である。
【図９】従来の簡易開栓キャップの容器に装着する前の平面図である。
【図１０】図９の簡易開栓キャップを容器に装着した状態の正面図である。
【図１１】図９の簡易開栓キャップを容器に取付けた状態の図８におけるＺ−Ｚ線方向の断面図である。
【符号の説明】
【００２５】
１  キャップ
２  キャップ本体
３  プルリング
４  ライナー
５  天面壁
６  スカート壁
８  舌片
９  スコア（スコア切断部）
１１  切り欠き部
１４，２５，２６  カバー
１７  容器
【図１】
2008280065.tif 000003
【図２】
2008280065.tif 000004
【図３】
2008280065.tif 000005
【図４】
2008280065.tif 000006
【図５】
2008280065.tif 000007
【図６】
2008280065.tif 000008
【図７】
2008280065.tif 000009
【図８】
2008280065.tif 000010
【図９】
2008280065.tif 000011
【図１０】
2008280065.tif 000012
【図１１】
2008280065.tif 000013